【手続補正書】
【提出日】平成16年7月30日(2004.7.30)
【手続補正１】
【補正対象書類名】明細書
【補正対象項目名】全文
【補正方法】変更
【補正の内容】
【書類名】      明細書
【発明の名称】  絶縁キャップ及び軟質絶縁キャップの金型
【特許請求の範囲】
【請求項１】
複数の電線１３相互を結線するスリーブ１０を挿入する為の口開部２を備えると共に内部には、複数の電線相互を結線するスリーブ１０を収容する為の空間８を備えている断面がほぼＵ字状の絶縁キャップ１においては、上記絶縁キャップ１は柔軟で弾力性、絶縁性を有する材料で成型してあり、上記絶縁キャップ１の内部においては、口開部２と絶縁キャップ１における底部９との間であって、上記絶縁キャップ１における底部９の側にスリーブ１０を存置させる為の空間８を残した位置には、絶縁キャップ１内の周囲複数カ所から、相互間に切れ間６を残した状態で、中心部１５に向けて夫々孤立した山形状態の抜け止めの為の突起３を備えさせ、それらの突起３の夫々の口開部側は、口開部２から挿入するスリーブ１０が軽く挿入されるよう、奥部に向けてゆるやかな度合の前部側斜壁４とし、上記突起３の夫々の奥部側は、挿入したスリーブ１０の縁部がこれに阻止される度合で奥部に向けて急峻な傾斜にした後部側斜壁５としたことを特徴とする絶縁キャップ。
【請求項２】
複数の電線相互を結線するスリーブ１０を挿入する為の口開部２を備えると共に内部には、複数の電線相互を結線するスリーブ１０を収容する為の空間８を備えている断面がほぼＵ字状の絶縁キャップ１を柔軟で弾力性、絶縁性を有する材料を用いて成型するための金型１６であって、上記金型１６の外周面の形状は、加熱された金型１６の外周面にエンビ液又はエンビ粉末を付着させることにより上記断面がほぼＵ字状の絶縁キャップ１を対応形成するような形状にしてあり、
さらに上記金型１６の外周面における上記絶縁キャップ１の口開部２と底部９との間に形成される突起３に対応させる位置においては、成型時に廃液が流出し易いように、上記のゆるやかな度合の前部側斜壁４に対応する傾斜に形成した後部斜壁型２１と、急峻な度合の後部側斜壁５に対応する傾斜に形成した前部斜壁型２０とを谷部状に備える複数の突起型穴１７が設けられていることを特徴とする絶縁キャップの金型。
【発明の詳細な説明】
【０００１】
【発明の属する技術分野】
本願は、電気配線工事における分岐結線したスリーブを絶縁包皮する軟質の絶縁キャップ及び軟質の絶縁キャップの金型に関する。
【０００２】
【従来の技術】
従来は、分岐結線に用いるスリーブの絶縁処理は、ビニテープを手巻きする方法が主流であった。
【０００３】
【発明が解決しようとする課題】
分岐結線作業は、主として天井裏など狭く暗く足場の悪い場所が多いため、ビニテープの巻き付け作業が困難で正確に巻けない場合が多く、簡単に挿入でき、容易に抜けない絶縁キャップが求められていた。
【０００４】
【課題を解決するための手段】
本願発明の絶縁キャップは、複数の電線１３相互を結線するスリーブ１０を挿入する為の口開部２を備えると共に内部には、複数の電線相互を結線するスリーブ１０を収容する為の空間８を備えている断面がほぼＵ字状の絶縁キャップ１においては、上記絶縁キャップ１は柔軟で弾力性、絶縁性を有する材料で成型してあり、上記絶縁キャップ１の内部においては、口開部２と絶縁キャップ１における底部９との間であって、上記絶縁キャップ１における底部９の側にスリーブ１０を存置させる為の空間８を残した位置には、絶縁キャップ１内の周囲複数カ所から、相互間に切れ間６を残した状態で、中心部１５に向けて夫々孤立した山形状態の抜け止めの為の突起３を備えさせ、それらの突起３の夫々の口開部側は、口開部２から挿入するスリーブ１０が軽く挿入されるよう、奥部に向けてゆるやかな度合の前部側斜壁４とし、上記突起３の夫々の奥部側は、挿入したスリーブ１０の縁部がこれに阻止される度合で奥部に向けて急峻な傾斜にした後部側斜壁５としたとした。
【０００５】
また本願発明の絶縁キャップの金型は、複数の電線相互を結線するスリーブ１０を挿入する為の口開部２を備えると共に内部には、複数の電線相互を結線するスリーブ１０を収容する為の空間８を備えている断面がほぼＵ字状の絶縁キャップ１を柔軟で弾力性、絶縁性を有する材料を用いて成型するための金型１６であって、上記金型１６の外周面の形状は、加熱された金型１６の外周面にエンビ液又はエンビ粉末を付着させることにより上記断面がほぼＵ字状の絶縁キャップ１を対応形成するような形状にしてあり、
さらに上記金型１６の外周面における上記絶縁キャップ１の口開部２と底部９との間に形成される突起３に対応させる位置においては、成型時に廃液が流出し易いように、上記のゆるやかな度合の前部側斜壁４に対応する傾斜に形成した後部斜壁型２１と、急峻な度合の後部側斜壁５に対応する傾斜に形成した前部斜壁型２０とを谷部状に備える複数の突起型穴１７が設けられている。
【０００６】
【発明の実施の形態】
柔軟性を有するキャップの口開部の奥部内周に複数の突起をそれぞれ孤立的に成型し、挿入するスリーブに押し圧された場合、各々の突起間の薄い切れ間を主にその周囲が容易に伸張することにより各々の突起間で形成する突起間の口開部も簡単に拡大し容易に挿入を可能とするとともに、突起は殆ど変形することなく、ゆるやかな斜壁度合いの前部側斜壁により滑りながら誘導され中央部を真っ直に軽く進行し、突起位置を容易に通過した瞬間、突起は復元しスリーブの口開縁部が収納部に位置する。結線した電線を引き抜く力が加わった場合、口開縁部が滑らない程度の度合いの後部側斜壁に強くさえぎられ脱落を防ぎ安全を保つ。
【０００７】
本願キャップの金型は、加熱した多数の金型を一括してエンビ液に浸漬後加熱しゲル化成型する方法と、加熱した金型にエンビ粉末を付着させ加熱成型する製法に用いるものであり、キャップの口開部の奥部に当たる金型の外周に複数の突起型穴を並設し、その穴の前部斜壁型及び後部斜壁型を通過した奥部にはエンビ液及びエンビ粉末が充満し、離型剤、ガス等廃液の付着、焦げ付きを解消することにより生産中断して金型の掃除をするようなことは殆ど行うことなく成型の繰返しを可能にしたキャップ金型に関する。
【０００８】
本願の一実施例を示す図面について説明すると、Ａ−Ａはキャップ１の縦断面位置を示す。Ｂ−Ｂはキャップ金型１６の縦断面位置を示す。１は、図２示されているような断面がほぼＵ字状の絶縁キャップであり、柔軟性を有するキャップの本体。２は口開部であり、複数の電線１３が挿入し得る径の穴を成す。３は突起であり、図２に表れているように口開部２と底部９との間に有り、口開部２の穴の奥部内周において孤立的で、図２の様に山形状になり、比較的長く突起した複数の抜け止め装置で、スリーブ１０の通過中も殆ど変形することなく押し開かれキャップ１の中央部を奥に向けスリーブ１０が誘導され、一旦挿入された後は極めて強引しなければ抜けなくなる。４は前部側斜壁であり、口開部２から挿入するスリーブ１０が軽く挿入されるよう、ゆるやかな斜め度合をなし、スリーブ１０の挿入しても殆ど変形することなく突起間の口開部１５を軽く広げる。５は後部斜壁であり、図２に示されているようにその傾斜の度合いは急峻な度合で、挿入したスリーブ１０の口開縁部１１がこれに強く阻止され滑らない斜壁度合となし、接続した電線１３を引っ張っても口開縁部１１が滑り込む機能は無く、専らスリーブ１０の抜け止め作用をなす。６は切れ間であり、互いに孤立した突起３間に当たりキャップ１の本体部分で、各々の突起３の連携作用により挿入を困難にすること無く、軽い押し圧力で押し開かれスリーブ１０の挿入を容易にする。７は収納部であり、スリーブ１０の口開縁部１１が位置する空間を成す。８はスリーブ包皮部であり、挿入したスリーブ１０を存置させる為の空間を安定的に包皮する内径と長さを成す。９はスリーブ１０の奥部に形成された底部であり、キャップ１の口開部２を円形になし肉厚の薄い個所が無い形状にした。
【０００９】
１１はスリーブ１０の口開縁部であり、電線端末１４が差し込み易くラッパ状に大きく口開し縁部を成す。１２は圧縮部であり、スリーブ１０に電線端末１４を挿入後ペンチで圧縮した跡。前部側斜壁４の突起間の口開部１５は、スリーブ１０を挿入する場合キャップ１の中央部を真っ直に進行するよう案内するとともに、各々の突起３を押し圧してこの口を順次押し開き挿入を容易になし、挿入瞬間小さな口に復元し抜けなくなる。
【００１０】
上記のように、電気配線工事における分岐結線後のスリーブを絶縁包皮する軟質性キャップにおいて、口開部の奥部内周に複数の個々に孤立した突起を並設し、その表面部はゆるやかな勾配の前部側斜壁となし、結線したスリーブを口開部から挿入するとその中央部に各々の突起で形成する突起間の口開部１５が徐々に拡大しながら進行し、その間、各々の突起が一体で連携し抵抗すること無く、しかも殆ど変形すること無く、各々の切れ間及びその周辺部分が容易に膨張し、スリーブが突起を越えた位置まで挿入した瞬間復元し、挿入したスリーブの口開縁部が突起の後部側斜壁に後退を強く阻止され、極度に強引しない限り抜けなくしてある。
【００１１】         
このように柔軟で弾力性、絶縁性を有するキャップの口開部の奥部周囲に比較的長く孤立した突起を複数並設し、それら各突起間に切れ間を残し、スリーブを挿入する場合、この突起を除く切れ間を始め薄く成型したキャップ本体に当たる周囲が容易に伸びることに加え突起間の口開部１５が拡張して挿入を容易になすとともに、完全に挿入したスリーブの口開縁部が突起の後部側斜壁に阻止され極めて強引にしない限り抜けず、安全を保つ構造の軟質キャップになる。
【００１２】
図示のキャップ１は、複数の突起３をキャップ１の内周に複数を孤立的に並設したことにより、スリーブ１０の挿入圧力に対する連携抵抗力無く、突起３は比較的長く突起したことで突起間の口開部１５の空間が小さく、挿入時の突起３はそれぞれ広がるのみで形状は殆ど変わらず、前部側斜壁４の角度はゆるやかで軽く挿入され、一旦挿入した電線１３を強く引っ張ってもスリーブ１０が滑って抜け出すことの無い度合いの後部側斜壁５が立ちはだかり、抜け出る不安を解消する。
【００１３】
次に、１６はキャップ金型であり、自動機に多数取り付け、それを加熱後エンビ液に浸漬し付着後加熱し少し冷却し離脱する工程を自動連続的に作動し量産する。エンビ粉末を用いる加工も基本的にほぼ同様の工程を経る。１７は突起型穴であり、キャップ金型１６の太い部分の奥部外周に複数並設する。１８は包皮成型部であり、スリーブ１８の外径に合わせた径になし安定させる。１９は先端部であり、キャップ１の先端の肉厚が薄く成型されることなく円みを成している。２０は前部斜壁型であり、図示のように谷部状の突起型穴１７の穴底に向けゆるやかな斜壁をなす。２１は後部斜壁型であり、これも図示のように突起型穴１７の穴底に向けて少し斜めに形成され、成型時にエンビ液及び粉末の流入を良くし、突起型穴１７の穴底に残る離型剤、ガスなどの廃液が加工ごとに流出し、焦げ付かず、従って成型の障害を防ぎ、成型後に金型１６からキャップ１の離脱を容易にする。
【００１４】
上記のように、キャップ金型の外周に突起型穴１７を複数並設し、その穴の穴底に向け前部斜壁型及び後部斜壁型を形成したことによりキャップ金型を適温に加熱し浸漬する際、これらの穴にエンビ液又はエンビ粉末が容易に充満し、突起型穴奥部に廃液の付着及び焦げ付きが殆ど無く、塗布した離型剤が奥底部に残らず加工ごとに後部斜壁型の勾配を伝わり流出し、前記何れの素材により成型されたキャップにおいても、後部斜壁型を滑り容易に離脱し、自動連続生産を可能とした。
【００１５】
【発明の効果】
本願発明におけるキャップ１は、スリーブ１０を挿入する際、前部側斜壁４の傾斜角度はゆるやかで軽く挿入され、一旦挿入した電線１３は、山形状になっている後部側斜壁５が立ちはだかり、強く引っ張ってもスリーブ１０が滑って抜け出すことが無く、抜け出る不安を解消するに効果が有る。
さらに山形状になっている突起３における後部側斜壁５を急峻な傾斜にしても、
上記突起３の前後方向の傾斜は山形状にできるものであるから、これを製造する為に用いられる金型の突起型穴１７の形状を、谷部の形状にして製品が後部斜壁型２１、前部斜壁型２０より離脱し易くなるようにすることもできる製造上の効果をも伴う効果がある。
【００１６】                                      
本願発明の金型を用いるキャップの製法においては、加熱した金型をエンビ液に浸漬する製法、又はエンビ粉末を付着成型する製法の何れに用いる場合においても、金型の外周に複数の突起型穴１７を並設し、その谷部の形状をなす突起型穴１７の一斜面は前部斜壁型２０とし、他の斜面は後部斜壁型２１とし、エンビ液又はエンビ粉末が一挙に穴底に流れ込み、塗布した離型剤が加工ごとに流れだし、正常な成型を維持するとともに、製品が後部斜壁型２１、前部斜壁型２０より離脱し易くなる製造工程上の効果がある。
【００１８７】
【図面の簡単な説明】
【図１】
スリーブ１０が表面斜壁部４を滑りながら切れ間６等を押し広げ進行する状態を示す一部Ａ−Ａ断面図。
【図２】
キャップ１のＡ−Ａ断面図。
【図３】
キャップ１の平面図。
【図４】
金型１６の正面図。
【図５】
金型１６の一部Ｂ−Ｂ断面図。
【符号の説明】
Ａ−Ａ キャップ１の断面位置を示す
Ｂ−Ｂ 金型１６の断面位置を示す
１ キャップ
２ 口開部
３ 突起
４ 前部側斜壁
５ 後部側斜壁
６ 切れ間
７ 収納部
８ スリーブ包皮部
９ 底部
１０ スリーブ
１１ 口開縁部
１２ 圧縮部
１３ 電線
１４ 電線端末 
１５ 突起間の口開部
１６ キャップ金型
１７ 突起型穴
１８ 包皮部
１９ 先端部
２０ 前部斜壁型
２１ 後部斜壁型